(57)【特許請求の範囲】
【請求項１】
階上の床と階下側の天井裏上方の足場板との間の空間に収納容器が設けられた階上床下収納装置であって、階上の床に開口部が設けられ、この開口部の平行する両端の床裏に床下収納用の床根太枠と、この床根太枠の内側周囲にＬ型金具と、更に、このＬ型金具の上面に外枠が設けられ、この外枠に収納容器の上端周囲に設けられた吊架部が嵌め込まれて吊架され、上記外枠に蓋が床面とほぼ面一になるように嵌め込まれ、更に、上面が開口され、周囲が耐火性を有する耐火ボードにより構成された箱体が、収納容器の外側を包囲して設けられ、この箱体の底面が構造体の上に載置され、箱体の上端周囲が床根太枠に固定されて耐火構造となされていることを特徴とする耐火階上床下収納装置。
【発明の詳細な説明】
【０００１】
【産業上の利用分野】
本発明は、階上床下収納装置、更には、耐火階上床下収納装置に関する。
【０００２】
【従来の技術】
従来、床下を利用して収納庫を設けることは周知であり、鉄骨系の住宅等においては、鋼板、その他の材料を用いてボックス形状にした収納庫を、床下に落とし込むようにしたり、或いは、プラスチック成形された大型容器を収納庫とし、枠組みとともに床下に設置し、蓋を床面と面一に設けたキッチン等における床下収納も一般的に用いられている。
【０００３】
例えば、実公平３−１９４６号公報においては、上下にリブを有する床梁と、この床梁上面に敷設される床板とにより構成される床面下に収納庫を設置するようにしたものであり、両床梁の相対する下リブ間に亘って収納庫用の底板を設けるとともに、両床梁の相対する上リブ間に亘って収納庫蓋板を兼ねた床板を開閉自在に設けた収納庫が記載されており、１階、２階を問わず容易に設置できるものであると記載されている。
【０００４】
【発明が解決しようとする課題】
しかしながら、上記実公平３−１９４６号公報に記載されている収納庫は、鉄骨構造の建物の床梁そのものを利用して、部材等の節約ができる点では、優れているが、上下間に確保できる寸法が床梁の規定寸法に限定されてしまい、深さが浅い収納部しか設けることができない。
【０００５】
本発明は、上記のこのような問題点に着眼してなされたものであり、その目的とするところは、これらの問題点を解消し、上階の床面に設置でき、深さが十分に確保でき、収納容積が大きい階上床下収納装置、更には、耐火性がある階上床下収納装置を提供するものである。
【０００６】
【課題を解決するための手段】
請求項１記載の本発明の階上床下収納装置においては、階上の床と階下側の天井裏上方の足場板との間の空間に収納容器が設けられた階上床下収納装置であって、階上の床に開口部が設けられ、この開口部の平行する両端の床裏に床下収納用の床根太枠と、この床根太枠の内側周囲にＬ型金具と、更に、このＬ型金具の上面に外枠が設けられ、この外枠に収納容器の上端周囲に設けられた吊架部が嵌め込まれて吊架され、上記外枠に蓋が床面とほぼ面一になるように嵌め込まれ、更に、上面が開口され、周囲が耐火性を有する耐火ボードにより構成された箱体が、収納容器の外側を包囲して設けられ、この箱体の底面が構造体の上に載置され、箱体の上端周囲が床根太枠に固定されて耐火構造となされていることを特徴とする。
【０００７】
【作用】
請求項１記載の本発明の階上床下収納装置においては、階上の床と階下側の天井裏上方の足場板との間の空間に収納容器が設けられた階上床下収納装置であって、階上の床に開口部が設けられ、この開口部の平行する両端の床裏に床下収納用の床根太枠と、この床根太枠の内側周囲にＬ型金具と、更に、このＬ型金具の上面に外枠が設けられ、この外枠に収納容器の上端周囲に設けられた吊架部が嵌め込まれて吊架され、上記外枠に蓋が床面とほぼ面一になるように嵌め込まれ、更に、上面が開口され、周囲が耐火性を有する耐火ボードにより構成された箱体が、収納容器の外側を包囲して設けられ、この箱体の底面が構造体の上に載置され、箱体の上端周囲が床根太枠に固定されて耐火構造となされているので、耐火性能を有し、深さが十分に確保でき、収納容積が大きい階上の床面の床下収納とすることができる。
更に、箱体の固定は、上端周囲を床根太枠にネジにより固定するだけであるから、箱体の設置を簡単に行うことができる。
【０００８】
【実施例】
本発明の吊り戸棚に関し、以下に図面を参照して説明する。
図１は、階上床下収納装置の参考例を示す断面図であり、図２は、図１の上面図である。
図１、及び図２において、この階上床下収納装置１０は、階上の床１１と階下側の天井１２の上方の空間１４に設けられている。
更に詳しくは、上記空間１４は、裏面に石膏ボード１３ａが張り合わされた足場板１３と階上の床１１との間に設けられたものである。
【０００９】
階上の床１１には、床根太１７ａ、１７ａを切断して開口部１１Ａが設けられ、収納容器本体１５を強固に固定し、更に吊架するために、上記開口部１１Ａの平行する両端に、床下収納用に床根太枠１６、１６が設けられ、この床根太枠１６、１６の両端は、床根太１７に連結されている。
更に、床根太枠１６、１６の側面には、ほぼ直角方向より床根太１７ａ、１７ａが当接した上接続されている。
又、上記床根太１７は下方より床小梁１８、１８により支持された構造となっている。
【００１０】
収納容器本体１５は、下記において詳述するように、上記開口部１１Ａの周囲に設けられた外枠に嵌め込まれて固定され、この上より、床１１とほぼ面一となるように蓋１５ｂが開閉自在にセットされるようになっている。
【００１１】
図３は、図１のＡ部の詳細を示す断面図である。
図３において、床１１は、上面より床仕上材（ソフトフロア）１１ａ、及びパーティクルボード１１ｂにより構成されている。
又、開口端の下方に設けられた床根太枠１６と、この床根太枠１６の上方の床１１の端面に亘って、床下収納用の根太枠合板１６ａが張設され、この根太枠合板１６ａを貫通して、床根太枠１６にＬ型金具２０が逆さ向きに内側より当接され、ネジ１９により固定されて設けられている。
【００１２】
更に、上記Ｌ型金具２０の上方に外枠２１が、その上端のＬ形状の平坦部を床面１１に当接された上、小ネジ２２を用いてナット２２ａにより締結されて固定されている。
【００１３】
収納容器本体１５の上端周囲は、外側に向かって鉤型の吊架部１５ａが設けられており、この吊架部１５ａが上記外枠２１の内側端部に設けられた凹溝２１ａに嵌め込まれ、収納容器本体１５が外枠２１に吊架されている。
【００１４】
蓋１５ｂは、パーティクルボード１５ｃの上面に表面仕上材１５ｄが貼設されて構成されており、この蓋１５ｂの端部周囲には、アルミ製の蓋枠１５ｅが裏面、及び側面より皿木ネジ２３、２３ａにより固定されている。
【００１５】
この蓋枠１５ｅが取付けられた蓋１５ｂは、外枠２１の内側周囲の一段下方に段差が設けられたＬ型部の上面に当接し、ほぼ床１１の上面と面一となるようにして嵌め込まれて、階上床下収納装置として完成された状態となっている。
この蓋１５ｂには、引き起こし式の把手２４（図１に示す）が設けられており、蓋１５ｂの開閉が自在に行えるように配慮されている。
【００１６】
図４は、請求項1記載の本発明の階上床下収納装置の一例を示す断面図であり、図５は、図４の上面図である。
図４、及び図５において、この階上床下収納装置３０は、階上の床３１と階下側の天井３２の上方の空間３４に設けられている。
更に詳しくは、上記空間３４は、裏面に石膏ボード３３ａが張り合わされた足場板３３と階上の床３１との間に設けられたものである。
【００１７】
階上の床３１には、床根太３７ａ、３７ａを切断して開口部３１Ａが設けられ、収納容器本体３５を強固に固定し、更に吊架するために、上記開口部３１Ａの平行する両端に、床下収納用に床根太枠３６、３６が設けられ、この床根太枠３６、３６の両端は、床根太３７に連結されている。
更に、床根太枠３６、３６の側面には、ほぼ直角方向より床根太３７ａ、３７ａが当接した上接続されている。
又、上記床根太３７は下方より床小梁３８、３８により支持された構造となっている。
【００１８】
収納容器本体３５は、下記において詳述するように、上記開口部３１Ａの周囲に設けられた外枠に嵌め込まれて固定され、この上より、床３１とほぼ面一となるように蓋３５ｂが開閉自在にセットされるようになっている。
【００１９】
図６は、図５のＣ−Ｃ断面図であり、又、図７は、Ａ部の詳細を示す断面図である。
図６において、床３１は、上面より床仕上材（ソフトフロア）３１ａ、センチュリーボードｂ、及びパーティクルボード１１ｃにより構成されている。
開口端の下方に設けられた床根太枠３６と、この床根太枠３６の上方の床３１の端面に亘って、床下収納用の根太枠合板３６ａが張設され、この根太枠合板３６ａを貫通して、床根太枠３６にＬ型金具４０が逆さ向きに内側より当接され、ネジ３９により固定されて設けられている。
【００２０】
更に、上記Ｌ型金具４０の上方に外枠４１が、その上端のＬ形状の平坦部を床面３１に当接された上、小ネジ４２を用いてナット４２ａにより締結されて固定されている。
【００２１】
収納容器本体３５の上端周囲は、外側に向かって鉤型の吊架部３５ａが設けられており、この吊架部３５ａが上記外枠４１の内側端部に設けられた凹溝４１ａに嵌め込まれ、収納容器本体３５が外枠４１に吊架されている。
【００２２】
蓋３５ｂは、パーティクルボード３５ｃの上面に表面仕上材３５ｄが貼設されて構成されており、この蓋３５ｂの端部周囲には、アルミ製の蓋枠３５ｅが裏面、及び側面より皿木ネジ４３、４３ａにより固定されている。
【００２３】
この蓋枠３５ｅが取付けられた蓋３５ｂは、外枠４１の内側周囲の一段下方に段差が設けられたＬ型部の上面に当接し、ほぼ床３１の上面と面一となるようにして嵌め込まれて、階上床下収納装置として完成された状態となっている。
この蓋３５ｂには、引き起こし式の把手４４（図１に示す）が設けられており、蓋１５ｂの開閉が自在に行えるように配慮されている。
【００２４】
４５は、上面が開口され、収納容器３５の外側に設けられた箱体であり、この箱体４５は、側面外周が耐火性を有する耐火ボード４５ａで包囲され、底面が足場板３３上に載置され、箱体４５の上端が床根太枠３６に固定されて設けられている。
【００２５】
上記箱体４５の外側の耐火ボード４５ａの内側には、内張りボード４５ｂが張り合わされて設けられている。
又、この箱体４５の底面は、パーティクルボード４５ｃとセンチュリーボード４５ｄの２重構造により構成され、底面が足場板３３上に載置されて保持された状態となされている。
【００２６】
この箱体４５の上端は、図７に示すように、内側より皿小ネジ４６により固定されている。
又、箱体４５の上端は、Ｌ型金具４の取付け部分のみが、図６に示すように切り欠かかれている。
【００２７】
上記のように、収納容器３５は、周囲を耐火ボード４５ａにより包囲されているので、耐火性能を有する階上床下収納装置として用いることができる。
【００２８】
蓋３５ａは、パーティクルボード３５ｂの上面に表面仕上材３５ｃが貼設されて構成されており、この蓋３５ａの端部周囲には、アルミ製の蓋枠３５ｄが裏面より木ネジ４３により固定されている。
【００２９】
この蓋枠３５ｄが取付けられた蓋３５ａは、外枠４１の内側周囲の一段下方に段差が設けられたＬ型部の下面に当接し、ほぼ床面３１と面一となるようにして嵌め込まれて、階上床下収納装置として完成された状態となっている。
この蓋３５ａには、引き起こし式の把手４４（図１に示す）が設けられており、蓋３５ａの開閉が自在に行えるように配慮されている。
【００３０】
【発明の効果】
請求項１記載の本発明の階上床下収納装置においては、階上の床に開口部が設けられ、この開口部の平行する両端の床裏に床下収納用の床根太枠と、この床根太枠の内側周囲にＬ型金具と、更に、このＬ型金具の上面に外枠が設けられ、この外枠に収納容器の上端周囲に設けられた吊架部が嵌め込まれて吊架され、上記外枠に蓋が床面とほぼ面一になるように嵌め込まれ、更に、上面が開口され、周囲が耐火性を有する耐火ボードにより構成された箱体が、収納容器の外側を包囲して設けられ、この箱体の底面が足場板の上に載置されているので、箱体の荷重を足場板が負担することができ、更に、箱体の上端周囲が床根太枠に固定されて耐火構造となされているので、耐火性能を有し、深さが十分に確保でき、収納容積が大きい階上の床面の床下収納とすることができる。
更に、箱体の固定は、上端周囲を床根太枠にネジにより固定するだけであるから、箱体の設置を簡単に行うことができる。
従って、階上床下収納装置として好適に用いられる。
【図面の簡単な説明】
【図１】階上床下収納装置の参考例を示す断面図。
【図２】図１の上面図。
【図３】図１のＡ部の詳細断面図。
【図４】請求項1記載の本発明の階上床下収納装置の一例を示す断面図。
【図５】図４の上面図。
【図６】図５のＣ−Ｃ断面図。
【図７】図４のＡ部の詳細断面図。
【符号の説明】
１０、３０        階上床下収納装置
１１、３１        床
１１Ａ、３１Ａ    開口部
１１ｂ、３１ａ    ソフトフロア
３１ｂ            センチュリーボード
１１ｂ、３１ｃ    パーティクルボード
１２、３１        天井
１３、３３        足場板
１３ａ、３３ａ    石膏ボード
１４、３４        空間
１５、３５        収納容器
１５ｂ、３５ｂ    蓋
１６、３６        床根太枠
１７、３７        床根太
１８、３８        床小梁
１９、３９        開口
２０、４０        Ｌ型金具
２１、４１        外枠
２２、４２        小ネジ
２２ａ、４２ａ    ナット
２３、２３ａ、４３、４３ａ  皿木ネジ
２４、４４        把手
４５              箱体
４５ａ            耐火ボード
４５ｂ            内張りボード
４５ｃ            パーティクルボード
４５ｄ            石膏ボード
４６              皿木ネジ
【図１】
0003541977.tif 000002
【図２】
0003541977.tif 000003
【図３】
0003541977.tif 000004
【図４】
0003541977.tif 000005
【図５】
0003541977.tif 000006
【図６】
0003541977.tif 000007
【図７】
0003541977.tif 000008